(57)【要約】【課題】発信規制登録したい時に即時に行うことが可能な、発信規制機能付き電話システムを提供する。【解決手段】１以上の外線および複数の内線を収容する主装置１、内線に接続される複数の内線電話機２からなる電話システムにおいて、主装置は、発信時または着信時の相手電話番号又はアドレスを仮登録番号として登録する仮登録番号記憶手段と、仮登録番号を所定の操作により発信規制番号として記憶装置に登録する発信規制番号記憶手段とを備え、発信時に発信ダイヤル番号又はアドレスと発信規制番号記憶手段に登録されている発信規制番号とを照合して番号又はアドレスが一致する場合、発信を規制することを特徴とする。【選択図】図１
2007166063.tif 000002
【特許請求の範囲】
【請求項１】
１以上の外線および複数の内線を収容する主装置と、内線に接続される複数の内線電話機とからなる電話システムにおいて、前記主装置は、発信時または着信時の相手電話番号又はアドレスを仮登録番号として登録する仮登録番号記憶手段と、前記仮登録番号を所定の操作により発信規制番号として記憶装置に登録する発信規制番号記憶手段とを備え、発信時に発信ダイヤル番号又はアドレスと前記発信規制番号記憶手段に登録されている前記発信規制番号とを照合して番号又はアドレスが一致する場合、発信を規制することを特徴とする発信規制機能付き電話システム。
【請求項２】
請求項１記載において、相手電話番号又はアドレスを前記発信規制番号として前記記憶装置に登録する際に、発信履歴または着信履歴に前記発信規制番号と同一電話番号又はアドレスの履歴データが存在するときは該履歴データを前記発信履歴または着信履歴から削除し、電話帳に前記発信規制番号と同一電話番号又はアドレスの電話帳データが存在するときは該電話帳データを前記電話帳から削除する発信規制該当番号削除手段を備えたことを特徴とする、発信規制機能付き電話システム。
【請求項３】
請求項１または２記載において、前記仮登録番号を所定の操作により電話帳登録番号として前記記憶装置に登録することが可能な電話帳記憶手段を備えたことを特徴とする、発信規制機能付き電話システム。
【請求項４】
請求項１、２または３記載において、前記主装置に外部コンピュータを接続し、前記発信規制番号記憶手段または前記電話帳登録手段を前記外部コンピュータ内に備え、前記外部コンピュータで前記発信規制番号または電話帳登録番号の編集及び登録を可能とし、発信時に発信ダイヤル番号又はアドレスと前記外部コンピュータ内の前記発信規制番号記憶手段に登録されている前記発信規制番号とを照合して番号又はアドレスが一致する場合、発信を規制することを特徴とする発信規制機能付き電話システム。
【発明の詳細な説明】
【技術分野】
【０００１】
本発明は、電話の発信時において、内蔵メモリまたは外部コンピュータの記憶装置等に登録されている発信規制番号への発信を制限する発信規制機能付き電話システムに関するものである。
【背景技術】
【０００２】
国際電話や市外電話などの長距離や特定の電話番号への発信を規制するため、発信規制したい複数桁のアクセス番号を電話機の内蔵メモリに事前登録しておき、発信時に、発信ダイヤル番号と事前登録した複数桁のアクセス番号が一致する場合、発信を規制する技術が知られている（特許文献１参照）。
【０００３】
【特許文献１】特開平５−２４４２４７号公報
【発明の開示】
【発明が解決しようとする課題】
【０００４】
上記した従来技術では、発信規制したい複数桁のアクセス番号をキー操作部から入力して、電話機の内蔵メモリに事前登録するので、発信対象種類に応じて発信規制としたい種類のみを発信規制することができる。
【０００５】
しかしながら、上記した従来技術では、個々の発信相手に対しての発信規制は考慮されていない。また、事前登録なので、相手と実際に通話中または通話後の次回通話時の発信規制登録を即時に行うことができない。
【０００６】
さらに、発信規制する番号を登録しても、発着信履歴や電話帳には同じ番号データがあるため、削除したい場合には削除操作を行う必要がある。
【０００７】
また、発信規制する番号を、別の用途である電話帳登録にも活用できれば便利である。
【０００８】
また、発信規制する番号を電話機の内蔵メモリに登録する場合、内蔵メモリでは登録できる件数が少ないため、多くの番号を発信規制登録することができない。
【課題を解決するための手段】
【０００９】
上記課題を解決するために、第１の発明は、１以上の外線および複数の内線を収容する主装置と、内線に接続される複数の内線電話機とからなる電話システムにおいて、前記主装置は、発信時または着信時の相手電話番号又はアドレスを仮登録番号として登録する仮登録番号記憶手段と、前記仮登録番号を所定の操作により発信規制番号として記憶装置に登録する発信規制番号記憶手段とを備え、発信時に発信ダイヤル番号又はアドレスと前記発信規制番号記憶手段に登録されている前記発信規制番号とを照合して番号又はアドレスが一致する場合、発信を規制することを特徴とする。
【００１０】
また、第２の発明は、第１の発明において、相手電話番号又はアドレスを前記発信規制番号として前記記憶装置に登録する際に、発信履歴または着信履歴に前記発信規制番号と同一電話番号又はアドレスの履歴データが存在するときは該履歴データを前記発信履歴または着信履歴から削除し、電話帳に前記発信規制番号と同一電話番号又はアドレスの電話帳データが存在するときは該電話帳データを前記電話帳から削除する発信規制該当番号削除手段を備えたことを特徴とする。
【００１１】
また、第３の発明は、第１の発明または第２の発明において、前記仮登録番号を所定の操作により電話帳登録番号として前記記憶装置に登録することが可能な電話帳記憶手段を備えたことを特徴とする。
【００１２】
また、第４の発明は、第１の発明、第２の発明、または第３の発明において、前記主装置に外部コンピュータを接続し、前記発信規制番号記憶手段または前記電話帳登録手段を前記外部コンピュータ内に備え、前記外部コンピュータで前記発信規制番号または電話帳登録番号の編集及び登録を可能とし、発信時に発信ダイヤル番号又はアドレスと前記外部コンピュータ内の前記発信規制番号記憶手段に登録されている前記発信規制番号とを照合して番号又はアドレスが一致する場合、発信を規制することを特徴とする。
【発明の効果】
【００１３】
第１の発明により、発信規制番号の仮登録操作を行うことで、事前登録ではなく実際に通話中または通話後に、今後発信規制すべきか否かを判断し、発信規制すべきと判断した場合は、簡単な操作で主装置に発信規制番号として登録することができるため、規制登録したい時に即時に登録することができる。
【００１４】
また、仮登録するので、誤って登録してしまう操作ミスを低減できると共に、発信規制番号として登録すべき相手か否かを即断できないときの登録漏れを防止することもできる。
【００１５】
さらに、第２の発明により、通常は残ってしまう発信履歴、着信履歴、または電話帳データも発信規制番号として登録時に自動削除されるため、発信履歴、着信履歴、または電話帳による誤発信を防止できると共に、メモリを有効活用することができる。
【００１６】
また、第３の発明より、本来は発信規制を行うための仮登録番号を、別の用途である電話帳登録にも活用することができる。
【００１７】
また、第４の発明による、パソコンやサーバ等の外部コンピュータを利用することで、登録可能件数を拡張することが可能となり、更に外部コンピュータでも編集や新規登録等を行うことも可能となる。
【発明を実施するための最良の形態】
【００１８】
以下、本発明の実施の形態を添付図面に基づいて詳細に説明する。図１は、本発明による発信規制機能付き電話システムの実施の形態であり、発信規制機能付き電話システムを構成するボタン電話主装置１とボタン電話機２の構成図である。図２〜図５は、本発明による発信規制機能付き電話システムの実施の形態の動作フローチャート図である。
【００１９】
まず、図１を用いて、ボタン電話主装置１とボタン電話機２の構成の概要を説明する。ボタン電話システムは、ボタン電話機２に電話機画面３、仮登録ボタン４、規制登録ボタン５、電話帳登録ボタン６、ダイヤルボタン７を備え、ボタン電話主装置１に内蔵メモリ８、制御部９、照合部１０、回線制御部１１を備える。
【００２０】
内蔵メモリ８には仮登録番号データ１２、発信規制番号データ１３−１、電話帳データ１４−１、発着信履歴データ１５を登録する。
【００２１】
また外部コンピュータ１６を接続し、外部コンピュータ１６に制御部１７、記憶装置１８を備える。記憶装置１８には発信規制番号データ１３−２、電話帳データ１４−２を登録する。
【００２２】
電話機画面３には、通話中のダイヤル番号や発着信履歴データ１５、電話帳データ１４−１，１４−２のダイヤル番号を表示する。
【００２３】
仮登録ボタン４は、電話機画面３に表示しているダイヤル番号を内蔵メモリ８に仮登録番号データ１２として登録するために使用するもので、その操作で得られる出力信号は制御部９に送られる。
【００２４】
規制登録ボタン５は、仮登録番号データ１２を発信規制番号データ１３−１，１３−２として登録し、同時に発着信履歴データ１５、電話帳データ１４−１，１４−２内の同一電話番号データを削除するために使用するもので、その操作で得られる出力信号は制御部９に送られる。
【００２５】
電話帳登録ボタン６は、仮登録番号データ１２を電話帳データ１４−１，１４−２に登録するために使用するもので、その操作で得られる出力信号は制御部９に送られる。
【００２６】
ダイヤルボタン７は、発信時に電話番号を入力する時に使用するもので、そのダイヤル操作で得られる出力信号は、制御部９に送られる。
【００２７】
内蔵メモリ８は、通常のメモリとしての働きの他に仮登録番号データ１２、発信規制番号データ１３−１、電話帳データ１４−１、発着信履歴データ１５を記憶する。
【００２８】
制御部９は、各ボタンからの入力データを解析、判断し、各部の制御を行う。
【００２９】
照合部１０は、ダイヤルボタン７からの出力信号と発信規制番号データ１３−１，１３−２の照合を行う。
【００３０】
回路制御部１１は、外線に接続されるインタフェース回路である。ここで言う外線は、一般公衆回線、ＩＰ電話事業者の回線、専用線、私設線、携帯等の無線使用回線等も含まれる。
【００３１】
仮登録番号データ１２は、仮登録ボタン４を押下した時に表示しているダイヤル番号のデータで、一時的に仮登録される。
【００３２】
発信規制番号データ１３−１，１３−２は、内蔵メモリ８および外部に接続した外部コンピュータ１６の記憶装置１８に登録され、登録されている番号への発信を規制するときの照合用に使用する。
【００３３】
電話帳データ１４−１，１４−２は、内蔵メモリ８および外部に接続した外部コンピュータ１６の記憶装置１８に登録され、ボタン電話機２の操作で登録するダイヤル番号、住所等のデータである。
【００３４】
発着信履歴データ１５は、内蔵メモリ８に登録され、発着信したダイヤル番号、時間等のデータである。
【００３５】
外部コンピュータ１６の制御部１７は、記憶装置１８に登録してある発信規制番号データ１３−２または電話帳データ１４−２を編集したり、制御部９からの指令により、発信規制番号データ１３−２または電話帳データ１４−２を登録するために使用する。
【００３６】
次に、通話中に、仮登録して発信規制登録する場合の動作を図１、図２を用いて説明する。
【００３７】
通話中（Ｓ２０１）、電話機画面３にダイヤル番号を表示する。
【００３８】
ボタン電話機２の仮登録ボタン４を押下する（Ｓ２０２）。
【００３９】
通話中、電話機画面３に表示しているダイヤル番号を、仮登録番号データ１２として内蔵メモリ８に仮登録する（Ｓ２０３）。
【００４０】
規制登録ボタン５を押下すると（Ｓ２０４）、仮登録番号データ１２を発信規制番号データ１３−１，１３−２に移動する（Ｓ２０５）。
【００４１】
終話処理（Ｓ２０６）の後、発着信履歴データ１５に発信規制番号データ１３−１，１３−２と同一データが登録されている場合は同一データの発着信履歴データを削除し（Ｓ２０７）、更に電話帳データ１４−１，１４−２に同一番号データが登録されている場合は同一データの電話帳データを削除する（Ｓ２０８）。
【００４２】
仮登録番号データ１２を仮登録した状態（Ｓ２０３）から電話帳登録ボタン６を押下すると（Ｓ２０９）、終話処理（Ｓ２１０）の後、発着信履歴データ１５を残したまま（Ｓ２１１）、仮登録番号データ１２を電話帳データ１４−１，１４−２に移動し、電話帳編集モードに移行する（Ｓ２１２）。
【００４３】
仮登録番号データ１２を仮登録した状態（Ｓ２０３）から規制登録ボタン５と電話帳登録ボタン６を押下しない場合には、終話処理（Ｓ２１３）の後、発着信履歴データ１５を残し（Ｓ２１４）、仮登録番号データ１２を削除する（Ｓ２１５）。
【００４４】
次に、通話終了後に、発着信履歴データ１５から、仮登録して発信規制登録する場合の動作を図１、図３を用いて説明する。
【００４５】
待機中（Ｓ３０１）、仮登録したいダイヤル番号を発着信履歴データ１５から検索して電話機画面３にダイヤル番号を表示する（Ｓ３０２）。
【００４６】
ボタン電話機２の仮登録ボタン４を押下する（Ｓ３０３）。発着信履歴データのダイヤル番号を、仮登録番号データ１２として内蔵メモリ８に仮登録する（Ｓ３０４）。
【００４７】
規制登録ボタン５を押下すると（Ｓ３０５）、仮登録番号データ１２を発信規制番号データ１３−１，１３−２に移動する（Ｓ３０６）。
【００４８】
発着信履歴データ１５に発信規制番号データ１３−１，１３−２と同一データが登録されている場合は同一データの発着信履歴データを削除し（Ｓ３０７）、更に電話帳データ１４−１，１４−２に同一番号データが登録されている場合は同一データの電話帳データを削除する（Ｓ３０８）。
【００４９】
仮登録番号データ１２を仮登録した状態（Ｓ３０４）から電話帳登録ボタン６を押下すると（Ｓ３０９）、発着信履歴データ１５を残したまま（Ｓ３１０）、仮登録番号データ１２を電話帳データ１４−１，１４−２に移動し、電話帳登録モードに移行する（Ｓ３１１）。
【００５０】
仮登録番号データ１２を仮登録した状態（Ｓ３０４）から規制登録ボタン５と電話帳登録ボタン６を押下しない場合には、発着信履歴データ１５を残し（Ｓ３１２）、仮登録番号データ１２を削除する（Ｓ３１３）。
【００５１】
次に、電話帳データ１４−１，１４−２から、仮登録して発信規制登録する場合の動作を図１、図４を用いて説明する。
【００５２】
待機中（Ｓ４０１）、発信規制したいダイヤル番号を電話帳データ１４−１，１４−２から検索して電話機画面３にダイヤル番号を表示する（Ｓ４０２）。
【００５３】
規制登録ボタン５を押下すると（Ｓ４０３）、表示しているダイヤル番号を発信規制番号データ１３−１，１３−２に登録する（Ｓ４０４）。
【００５４】
電話帳データ１４−１、１４−２に同一番号データが登録されている場合は同一データの電話帳データを削除する（Ｓ４０５）。
【００５５】
他のダイヤル番号を規制する場合（Ｓ４０６）、Ｓ４０２に戻る。
【００５６】
規制登録ボタン５を押下しない場合は通常の電話帳編集操作となる（Ｓ４０７）。
【００５７】
次に、発信規制時の動作を図１、図５を用いて説明する。
【００５８】
待機中（Ｓ５０１）、ボタン電話機２でダイヤルボタン７を押下して外線発信操作を行うと、ボタン電話主装置１の制御部９にダイヤル番号を送出する（Ｓ５０２）。
【００５９】
押下ダイヤル番号が発信規制番号データ１３−１，１３−２に登録されているか照合部１０で照合を行い（Ｓ５０３）、登録されている場合には制御部９で外線切断処理を行う（Ｓ５０４）。
【００６０】
登録されていない場合には制御部９から回線制御部１１に信号を送り、外線発信処理を行う（Ｓ５０５）。
【００６１】
本実施の形態は、ボタン電話装置で説明しているが、構内交換機等の交換装置においても同様に実現可能である。
【００６２】
また本実施の形態では、仮登録ボタン、規制登録ボタン、電話帳登録ボタンを別々のボタンにしているが、同一または兼用のボタンとすることも可能である。
【００６３】
なお、本実施の形態では、回線が通常の電話回線の場合で説明しているが、ＩＰ（Internet Protocol）回線の場合は電話番号ではなくＩＰアドレスで規制すればよい。
【図面の簡単な説明】
【００６４】
【図１】本発明による発信規制機能付き電話システムの実施の形態であり、発信規制機能付き電話システムを構成するボタン電話主装置とボタン電話機の構成図である。
【図２】通話中に、仮登録して発信規制登録する動作フローチャート図である。
【図３】通話終了後に、発着信履歴データから、仮登録して発信規制登録する場合の動作フローチャート図である。
【図４】電話帳データから、仮登録して発信規制登録する場合の動作フローチャート図である。
【図５】発信規制時の動作フローチャート図である。
【符号の説明】
【００６５】
１…ボタン電話主装置、２…ボタン電話機、３…電話機画面、４…仮登録ボタン、５…規制登録ボタン、６…電話帳登録ボタン、７…ダイヤルボタン、８…内蔵メモリ、９…制御部、１０…照合部、１１…回線制御部、１２…仮登録番号データ、１３−１，１３−２…発信規制番号データ、１４−１，１４−２…電話帳データ、１５…発着信履歴データ、１６…外部コンピュータ、１７…制御部、１８…記憶装置。
【図１】
2007166063.tif 000003
【図２】
2007166063.tif 000004
【図３】
2007166063.tif 000005
【図４】
2007166063.tif 000006
【図５】
2007166063.tif 000007